(57)【特許請求の範囲】
【請求項１】
浴室内外の境界に設けられ前記浴室の出入口を開閉自在に設けられ、前記出入口を開く際に、前記出入口と隣接する壁部の脱衣室側に設けられた引き込み領域に引き込まれる障子と、
前記障子が案内されるレールを備えた下枠と、
前記下枠に設けられ前記障子の前記浴室外側にて、前記浴室の床をなす防水パンより高い位置に設けられ、鉛直方向に立設されて前記脱衣室側への水の進入を防止する水返し部と、前記下枠と前記障子の下框とが見込み方向において対向する部位間に形成される上方が開放された隙間を上方から覆う障子側止水部と、を有し、前記下枠と前記障子との間を止水する止水部材と、
を有し、
前記レールは、前記防水パンより高い位置に設けられており、
前記下枠の前記レールより浴室側には、前記浴室に向かって高さが低くなる傾斜部と、前記傾斜部の浴室側端部から垂設された鉛直壁部と、前記鉛直壁部の下端から脱衣室側に延出された延出部とが設けられ、
前記鉛直壁部と前記延出部とは前記防水パンの脱衣室側に設けられた見付け方向に沿い前記床より低い位置に底を有する溝部に収容され、前記延出部が前記溝部の前記底に載置されていることを特徴とする浴室建具。
【請求項２】
請求項１に記載の浴室建具であって、
前記傾斜部は、前記レールの基端から繋がっていることを特徴とする浴室建具。
【請求項３】
請求項１または請求項２に記載の浴室建具であって、
前記鉛直壁部は、前記溝部の見込み方向の幅における中央より浴室側にて、前記溝部の浴室側の壁と対向するように配置されることを特徴とする浴室建具。
【請求項４】
請求項３に記載の浴室建具であって、
前記溝部と前記出入口と隣接する前記壁部とは、見付け方向に沿って並べて設けられていることを特徴とする浴室建具。
【請求項５】
請求項３または請求項４に記載の浴室建具であって、
前記下枠の前記浴室側の端部には、前記浴室内側に突出して前記溝部を越えて前記浴室内側に至るカバー突起が設けられていることを特徴とする浴室建具。
【請求項６】
請求項１乃至請求項５のいずれかに記載の浴室建具であって、
前記下枠は、見込み方向に並べて設けられた複数の前記レールを有しており、
前記複数のレールの各々に沿って移動可能な複数の前記障子を有し、
前記止水部材は、少なくとも最も前記浴室内側に設けられた前記障子の脱衣室側にて当該障子に当接されていることを特徴とする浴室建具。
【請求項７】
請求項６に記載の浴室建具であって、
前記傾斜部は、前記複数のレールのうちの最も前記浴室内側に設けられている前記レールの基端から繋がっていることを特徴とする浴室建具。
【発明の詳細な説明】
【技術分野】
【０００１】
本発明は、浴室の出入口を開閉自在に設けられた障子を有する浴室建具に関する。
【背景技術】
【０００２】
浴室の出入口を開閉自在に設けられた障子を有する浴室建具としては、開口部に装着するサッシ枠と、サッシ枠に組み込まれ、開口部と隣接する壁パネルの浴室内側に沿って引き込まれる片引き式の引戸と、を備えた浴室ユニットの引戸装置が知られている（例えば、特許文献１参照）。この浴室ユニットの引戸装置は、サッシ枠が有する下枠が、浴室内側が浴室外側より低い段を有しており、引戸の浴室外側の段部に引戸に向かってブラシが取り付けられている。
【先行技術文献】
【特許文献】
【０００３】
【特許文献１】特開平９−１６５９７７号公報
【発明の概要】
【発明が解決しようとする課題】
【０００４】
一般的に住宅においては、高齢者や障害者への配慮として室内外の段差を小さく抑えることが求められている。しかしながら上記のような浴室ユニットの浴室建具は、浴室側の水等が浴室外に溢れることを防止するために、浴室内より浴室外が高くなるように形成されており、段差が生じてしまう。また、浴室内外の高低差を補うために浴室側の床と浴室内側の床との間にスロープ部材を設けることが考えられるが、スロープ部材が浴室に突出して浴室が狭められてしまうという課題がある。
【０００５】
本発明は、かかる課題に鑑みてなされたものであり、その目的とするところは、浴室内外の高低差を設けつつ大きな段差が生じない浴室建具を提供することにある。
【課題を解決するための手段】
【０００６】
かかる目的を達成するために本発明の浴室建具は、浴室内外の境界に設けられ前記浴室の出入口を開閉自在に設けられ、前記出入口を開く際に、前記出入口と隣接する壁部の脱衣室側に設けられた引き込み領域に引き込まれる障子と、前記障子が案内されるレールを備えた下枠と、前記下枠に設けられ前記障子の前記浴室外側にて、前記浴室の床をなす防水パンより高い位置に設けられ、鉛直方向に立設されて前記脱衣室側への水の進入を防止する水返し部と、前記下枠と前記障子の下框とが見込み方向において対向する部位間に形成される上方が開放された隙間を上方から覆う障子側止水部と、を有し、前記下枠と前記障子との間を止水する止水部材と、を有し、前記レールは、前記防水パンより高い位置に設けられており、前記下枠の前記レールより浴室側には、前記浴室に向かって高さが低くなる傾斜部と、前記傾斜部の浴室側端部から垂設された鉛直壁部と、前記鉛直壁部の下端から脱衣室側に延出された延出部とが設けられ、前記鉛直壁部と前記延出部とは前記防水パンの脱衣室側に設けられた見付け方向に沿い前記床より低い位置に底を有する溝部に収容され、前記延出部が前記溝部の前記底に載置されていることを特徴とする浴室建具である。
このような浴室建具によれば、浴室の出入口を開閉自在に設けられた障子は、出入口を開く際に、出入口と隣接する壁部の脱衣室側に設けられた引き込み領域に引き込まれるので、障子が案内されるレールを壁部の分だけ浴室外側に配置することが可能である。
【０００７】
また、下枠と障子との間を止水する止水部材を浴室外側に配置したので、レール及び障子より浴室外側に止水部材を支持するような高い部位を設ける必要がない。そして、下枠のレールより浴室側に浴室に向かって高さが低くなる傾斜部が設けられているので、浴室の床をなす防水パンの上面と脱衣室側の上面とに高低差を設けつつ、その高低差を、傾斜部により補って段差が生じないような浴室建具を提供することが可能である。
【０００８】
特に、上記浴室建具は、障子の引き込み領域を壁部の浴室外側に設けたので、障子が案内されるレールをより浴室外側に配置して、傾斜部の見込み方向の距離をより長く設けることが可能である。このため、緩やかな傾斜にて浴室内外の高低差を補うことが可能である。このため、高い止水性を確保しつつ段差の生じない浴室建具を提供することが可能である。
また、下枠の上に至った水等を、浴室に向かって高さが低くなる傾斜部を伝わせて防水パン側の溝部に導き排水することが可能である。
【０００９】
かかる浴室建具であって、前記傾斜部は、前記レールの基端から繋がっていることが望ましい。
このような浴室建具によれば、傾斜部がレールの基端から繋がっているので、傾斜を大きくすることなく、より浴室外側にて高低差を補うことが可能である。
【００１０】
かかる浴室建具であって、前記鉛直壁部は、前記溝部の見込み方向の幅における中央より浴室側にて、前記溝部の浴室側の壁と対向するように配置されることが望ましい。
【００１１】
かかる浴室建具であって、前記溝部と前記出入口と隣接する前記壁部とは、見付け方向に沿って並べて設けられていることが望ましい。
このような浴室建具によれば、下枠の傾斜部を、壁部の浴室側面より浴室側に突出させることなく納めることが可能である。このため、浴室をより広く確保することが可能である。
【００１２】
かかる浴室建具であって、前記下枠の前記浴室側の端部には、前記浴室内側に突出して前記溝部を越えて前記浴室内側に至るカバー突起が設けられていることが望ましい。
このような浴室建具によれば、下枠に設けられたカバー突起により溝部が覆われるので、より見映えの良い浴室建具を提供することが可能である。
【００１３】
かかる浴室建具であって、前記下枠は、見込み方向に並べて設けられた複数の前記レールを有しており、前記複数のレールの各々に沿って移動可能な複数の前記障子を有し、前記止水部材は、少なくとも最も前記浴室内側に設けられた前記障子の脱衣室側にて当該障子に当接されていることが望ましい。
このような浴室建具によれば、最も浴室側のレール及び障子より浴室外側に止水部材を支持するような高い部位を設ける必要がない。そして、下枠の最も浴室側のレールより浴室側に浴室に向かって高さが低くなる傾斜部が設けられているので、浴室内外に高低差を設けつつ、その高低差を、より浴室外側の領域にて傾斜部により補って、段差が生じないような浴室建具を提供することが可能である。
【００１４】
かかる浴室建具であって、前記傾斜部は、前記複数のレールのうちの最も前記浴室内側に設けられている前記レールの基端から繋がっていることが望ましい。
このような浴室建具によれば、傾斜部が最も浴室側のレールの基端から繋がっているので、可及的に浴室外側に傾斜部を配置して高低差を補うことが可能である。
【発明の効果】
【００１５】
本発明によれば、浴室内外の高低差を設けつつ大きな段差が生じない浴室建具を提供することが可能である。
【図面の簡単な説明】
【００１６】
【図１】本実施形態に係る浴室建具の縦断面図である。
【図２】本実施形態に係る浴室建具の横断面図である。
【図３】下枠の出入口側の部位における障子との間の止水状態を示す縦断面図である。
【図４】下枠の壁部側の部位を示す縦断面図である。
【図５】下枠及び止水部材を説明するための斜視図である。
【図６】下枠の変形例を示す縦断面図である。
【図７】複数枚の障子を有する例を説明するための縦断面図である。
【発明を実施するための形態】
【００１７】
以下、本発明の一実施形態に係る浴室建具について図面を参照して説明する。
本実施形態の浴室建具１は、例えば、図１、図２に示すように、浴室外側となる脱衣室側から見て左側の領域が閉止可能な開口でなる出入口２をなし、右側の領域が壁部３をなして、壁部３の脱衣室側を見付け方向に沿って移動する障子５が、前記出入口２を開閉可能に構成された引き込み戸タイプの建具である。
【００１８】
以下の説明においては、建物等に取り付けられた状態の浴室建具１を浴室外側、すなわち脱衣室側から見たときに、上下となる方向を上下方向、左右となる方向を左右方向または見付け方向、浴室内外方向である奥行き方向を見込み方向として示す。また、建具１が備える各部材は、単体の状態であっても建物等に取り付けられた状態にて奥行き方向、左右方向、上下方向となる方向にて方向を特定して説明する。
【００１９】
浴室建具１は、浴室内外の境界に設けられる枠体１０と、枠体１０の浴室外側の部位にて見付け方向に移動可能に設けられ、枠体１０における見付け方向の約半分の領域を開閉自在に設けられた障子５と、枠体１０が有する下枠１４に見付け方向の全域に亘って設けられ、下枠１４と障子５との間を止水する止水部材２２と、を有している。
【００２０】
枠体１０は、左右の縦枠１１、１２と、上下の横枠１３、１４と、左右の縦枠１１、１２のほぼ中央に設けられた縦骨２０と、を有している。縦骨２０は、見込み方向において左の縦枠１１の幅のほぼ半分の幅を有し、浴室内側に設けられており、右の縦枠１２は見込み方向において左の縦枠１１の幅のほぼ半分の幅を有し、浴室外側に設けられている。
【００２１】
そして、縦骨２０の浴室外側の部位と右側の縦枠１２の浴室側の部位とは、見込み方向における中央近傍にて対向するように配置されており、この対向する部位にて端部が支持されて、壁部３の脱衣室側の壁面２１ａをなす面材２１が設けられている。
【００２２】
下枠１４は、躯体(不図示)に支持されるとともに、図１に示すように、脱衣室側に設けられた額縁３０と浴室に設けられた防水パン３５との間に架け渡されている。
【００２３】
下枠１４は、レール１７ｄが設けられている下枠本体１６と、図４に示すように、下枠本体１６に固定され、出入口２と隣接する壁部３（図２）の脱衣室側の壁面２１ａを形成する面材２１の下端が挿入される壁下枠１５とを有している。
【００２４】
下枠本体１６は、図３に示すように、額縁３０（図１）の上部に配置される額縁覆部１９と、上方に突出して障子５を案内するレール１７ｄが設けられている下枠平板部１７と、額縁覆部１９と下枠平板部１７との間には止水部材２２が嵌合される止水部材嵌合部１８とを有している。
【００２５】
額縁覆部１９と止水部材嵌合部１８の上面とはほぼ同高さをなしており、止水部材嵌合部１８には下方に窪む嵌合溝１８ａが設けられている。
【００２６】
下枠平板部１７の脱衣室側の端部は、額縁覆部１９及び止水部材嵌合部１８の上面より僅かに低い位置にて止水部材嵌合部１８と繋がっている。ここで、下枠平板部１７の脱衣室側の端部と、額縁覆部１９及び止水部材嵌合部１８の上面との高さの差は、例えば、住宅性能表示において５等級として認定される段差の高さである５ｍｍ以下に設定されている。
【００２７】
下枠平板部１７は、図５に示すように、脱衣室側から見て縦骨２０より左側の出入口２側の部位が浴室に至るように形成されており、縦骨２０より右側の壁部３側の部位は壁部３の脱衣室側の壁面２１ａをなす面材２１の下端が挿入される壁下枠１５とシール材３１を介して係合している。すなわち、下枠平板部１７は、見込み方向の長さが、出入口２側が長く、壁部３側が短く形成されている。
【００２８】
下枠平板部１７の出入口２側の部位は、レール１７ｄが脱衣室側にて突出している下枠上面部１７ａと、下枠上面部１７ａの浴室側端部から垂設された鉛直壁部１７ｂと、鉛直壁部１７ｂの下端から水平方向に向かって脱衣室側に延出された延出部１７ｃと、を有している。
【００２９】
下枠平板部１７の壁部３側の部位は、浴室側の端部より脱衣室側に下方に垂設されて壁下枠１５がビス止めされる壁下枠取付部１７ｅが設けられている。すなわち、下枠平板部１７の壁部３側の部位は、浴室側の端部が、壁下枠取付部１７ｅより浴室側に突出している。
【００３０】
下枠上面部１７ａのレール１７ｄは、当該レール１７ｄ上に移動可能に配置された障子５の下框５ａと止水部材嵌合部１８とが僅かに間隔を隔てるように配置されており、レール１７ｄに案内されて移動する障子５は、左側に移動されて浴室の出入口２を閉止し、右側に移動されて壁部３の脱衣室側に引き込まれるとともに、浴室の出入口２を開放するように構成されている。すなわち、下枠平板部１７の壁部３側の部位の領域が、障子５の引き込み領域に相当する。
【００３１】
そして、下枠上面部１７ａは、レール１７ｄと止水部材嵌合部１８との間の下枠上面部１７ａはほぼ水平に形成され、レール１７ｄより浴室側には、脱衣室側から浴室側に向かって高さが低くなる傾斜が設けられた傾斜部１７ｆが設けられている。傾斜部１７ｆは、出入口２の見込み方向において、例えば壁部３の厚さのほぼ半分の位置にて、互いに傾斜が異なる２つの部位を有しており、傾斜部１７ｆの脱衣室側の部位である脱衣室側傾斜部１７ｉの傾斜の方が、傾斜部１７ｆの浴室側の部位である浴室側傾斜部１７ｊの傾斜より小さく形成されている。そして、下枠平板部１７の浴室側は、浴室の床をなす防水パン３５（図１）の脱衣室側に設けられた溝部３５ａに鉛直壁部１７ｂと延出部１７ｃとが収容されている。
【００３２】
防水パン３５の溝部３５ａは、出入口２と隣接する壁部３と見付け方向に沿って並べて設けられ、浴室側の内壁面３３ａと下枠平板部１７の鉛直壁部１７ｂの浴室側の面がほぼ面一になるように構成されている。そして、延出部１７ｃは溝部３５ａの底３５ｂに載置されて、鉛直壁部１７ｂが溝部３５ａの浴室側の壁３５ｃと対向するように配置され、下枠上面部１７ａと鉛直壁部１７ｂとの繋がった部位と、浴室の床をなす防水パン３５の上面とはほぼ同じ高さになるように構成されている。
【００３３】
壁下枠１５は、縦骨２０及び右縦枠１２と繋がった、面材２１の端部の収容部１５ｂを有する壁下枠本体１５ａと、壁下枠本体１５ａの下側に設けられ、下枠平板部１７の壁部３側の部位が挿入される、脱衣室側に開放された凹部１５ｃと、凹部１５ｃ内にシール材３１を保持するためのシール材嵌合部１５ｄと、壁下枠本体１５ａの下端から凹部１５ｃに挿入された下枠平板部１７の上方に、脱衣室側に突出された突出片１５ｅと、凹部１５ｃから下方に垂設されて下枠本体１６の壁下枠取付部１７ｅにビス止めされる壁下枠固定部１５ｆと、を有している。
【００３４】
止水部材２２は、下枠本体１６の止水部材嵌合部１８に設けられた嵌合溝１８ａに嵌合される嵌合部２２ａと、嵌合部２２ａから鉛直方向に立接されて脱衣室側への水の進入を防止する水返し部２２ｂと、嵌合部２２ａの上端から浴室側に延出されて障子５の下框５ａに摺接される障子側止水部２２ｃと、を有している。そして、障子５がレール１７ｄに沿って移動する間には、下枠１４に設けられた止水部材２２の障子側止水部２２ｃが下框５ａに脱衣室側から摺接するように構成されている。
【００３５】
縦骨２０は、浴室の内壁３３と繋がった面を有する浴室側壁部２０ａと、浴室の出入口２を形成し浴室側壁部２０ａの出入口２側の端から脱衣室側に延びる出入口側壁部２０ｂと、出入口側壁部２０ｂの脱衣室側の端から右縦枠１２の方向に延出された脱衣室側壁部２０ｃと、脱衣室側壁部２０ｃの右縦枠１２側の端部に設けられた面材支持部２０ｄと、を有している。
【００３６】
面材支持部２０ｄは、面材２１の浴室側の面２１ｂが当接される面材当接部２０ｅと、面材当接部２０ｅの出入口２側に設けられ面材２１を脱衣室側から支持する押縁２３が嵌合される押縁嵌合部２０ｆと、を有している。この面材支持部２０ｄは、右縦枠１２に設けられて左右方向が反転した対称形状に形成された面材支持部１２ａとともに、押縁２３が嵌合されて面材２１を支持している。また、脱衣室側壁部２０ｃには、出入口２側の端部に、上下方向に沿って、障子５が有する戸尻框５ｂの浴室側の面に当接されるシール材３２が設けられている。
【００３７】
本実施形態の浴室建具１によれば、浴室の出入口２を開閉自在に設けられた障子５は、出入口２を開く際に、出入口２と隣接する壁部３の脱衣室側に設けられた引き込み領域に引き込まれるので、障子５が案内されるレール１７ｄを壁部３の分だけ浴室外側となる脱衣室側に配置することが可能である。
【００３８】
また、下枠１４と障子５との間を止水する止水部材２２を脱衣室側に配置したので、レール１７ｄ及び障子５より浴室側に止水部材２２を支持するような高い部位を設ける必要がない。そして、下枠１４のレール１７ｄより浴室側に、浴室に向かって高さが低くなる傾斜部１７ｆが設けられているので、浴室の床をなす防水パン３５の上面と脱衣室側の額縁覆部１９の上面とに高低差を設けつつ、その高低差を、傾斜部１７ｆにより補って大きな段差が生じないような浴室建具１を提供することが可能である。
【００３９】
特に、本浴室建具１は、障子５の引き込み領域を壁部３の脱衣室側に設けることにより、障子５が案内されるレール１７ｄをより浴室外側に配置して、傾斜部１７ｆの見込み方向の距離をより長く設けたので、緩やかな傾斜により、浴室と脱衣室との高低差を補うことが可能である。このため、高い止水性を確保しつつ段差の生じない浴室建具を提供することが可能である。
【００４０】
また、傾斜部１７ｆがレール１７ｄの基端１７ｈから繋がっているので、浴室の内外方向、すなわち見込み方向に、より長い距離を設けることができるので、さらに傾斜を小さく抑えて、より脱衣室側にて高低差を補うことが可能である。そして、下枠１４の下枠平板部１７上に至った水等を傾斜部１７ｆの上面を伝わせて防水パン３５側の溝部３５ａに導き排水することが可能である。
【００４１】
また、下枠１４の傾斜部１７ｆを浴室の内壁面３３ａより浴室側に突出させることなく納めたので、浴室を広く確保することが可能である。
【００４２】
上記実施形態においては、下枠平板部１７の出入口２側の部位における浴室側の端部が、浴室の内壁面３３ａより浴室側により突出することなく溝部３５ａに収容される例について説明したが、図６に示すように、下枠平板部１７の出入口２側の部位における浴室側の端部が、浴室内側に突出して溝部３５ａを越えて浴室内側に至るカバー突起１７ｇが設けられていてもよい。この場合には、下枠１４に設けられたカバー突起１７ｇにより溝部３５ａが覆われるので、より見映えの良い浴室建具１を提供することが可能である。
【００４３】
また、上記実施形態においては、出入口２を開閉可能な障子５を１枚備えた浴室建具１の例について説明したが、図７に示すように、下枠１４が、見込み方向に並べて設けられた複数のレール１７ｄを有しており、この複数のレール１７ｄの各々に沿って移動可能な障子５が設けられており、止水部材２２が、少なくとも最も浴室内側に設けられた障子５の脱衣室側にて当該障子５に当接されていてもよい。この場合には、最も浴室側のレール１７ｄ及び障子５より浴室外側に止水部材２２を支持するような高い部位を設ける必要がない。そして、下枠１４の最も浴室側のレール１７ｄより浴室側に浴室に向かって高さが低くなる傾斜部１７ｆが設けられているので、浴室内外に高低差を設けつつ、その高低差を補って、より段差が生じないような浴室建具１を提供することが可能である。
【００４４】
そして、複数のレール１７ｄのうちの最も浴室内側に設けられているレール１７ｄの基端１７ｈから傾斜部１７ｆを繋げて設けることにより、可及的に浴室外側に傾斜部１７ｆを配置して、高低差を補うことが可能である。
【００４５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４６】
１  浴室建具、２  出入口、３  壁部、５  障子、１４  下枠、１７  下枠平板部、
１７ａ  下枠上面部、１７ｄ  レール、１７ｆ  傾斜部、１７ｇ  カバー突起、
１７ｈ  基端、２２  止水部材、３３  内壁、３３ａ  内壁面、３５  防水パン、
３５ａ  溝部
【図１】
0005734716.tif 000002
【図２】
0005734716.tif 000003
【図３】
0005734716.tif 000004
【図４】
0005734716.tif 000005
【図５】
0005734716.tif 000006
【図６】
0005734716.tif 000007
【図７】
0005734716.tif 000008